(57)【要約】【課題】着呼側に無駄な通信コストが発生することを防止すると共に、使い勝手のよいインターネット電話サービスを提供可能にすること。【解決手段】発呼側端末２０から着呼側端末４０へ電話をかける場合、インターネット電話制御装置１０は、インターネットへ接続し、次に、ＩＰアドレスを端末４０側に、ＩＳＤＮのＤチャネルによりＵＵＩメッセージを用いて通知しする。次に、端末４０がインターネットへ接続し、端末２０側へＩＰアドレスを通知し、次に、リンク確立する。次に、端末４０側に着呼して端末４０がオフフックすることにより、端末２０、４０間でのＩＰ電話が開始される。このように、端末４０から端末２０側へ接続許可通知を発しないので、端末４０側にはその分の費用は発生しない。【選択図】　図１
2004080453.tif 000002
【特許請求の範囲】
【請求項１】
インターネットを介して複数の端末間で電話を利用可能に制御するインターネット電話制御装置において、
発呼側端末をインターネットに接続して、前記発呼側端末のＩＰアドレスをＵＵＩメッセージによって着呼側端末に通知し、前記着呼側端末からＩＰアドレスを受信して前記発呼側端末と着呼側端末のリンクを確立するように制御する制御手段を有することを特徴とするインターネット電話制御装置。
【請求項２】
前記制御手段は、前記ＵＵＩメッセージを、ＩＳＤＮ回線のＤチャネルを用いて送信することを特徴とする請求項１記載のインターネット電話制御装置。
【請求項３】
前記制御手段は、複数の通信サービスを予め記憶した記憶手段を有し、前記着呼側端末から該着呼側端末の通信環境に関する情報を受信し、該情報に応じた通信サービスを前記記憶手段から選択して前記発呼側端末と着呼側端末とを接続することを特徴とする請求項１又は２記載のインターネット電話制御装置。
【発明の詳細な説明】
【０００１】
【発明の属する技術分野】
本発明は、インターネット電話システムにおいて通信を制御するためのインターネット電話制御装置に関する。
【０００２】
【従来の技術】
従来からインターネットを利用した通信サービスシステムや電話サービスシステム（インターネット電話システム）が開発されている（例えば、特開２００１−３６６４１号公報、特開２００１−１０３１８７号公報、特開２００１−２２３７４８号公報参照）。
現在行われているインターネット電話サービスの代表的な利用方法は、コンピュータ（ＰＣ）からＰＣ、ＰＣから電話機、電話機から電話機という３つの方法があるが、一般ユーザーに最も受け入れられやすいものは、電話機から電話機へのサービスである。
【０００３】
その一例を説明すると、ユーザーがインターネット電話を利用する時、まずユーザーはサービスを行っている電話機−電話機間のサービスを行っているインターネット電話会社へ電話をし、自分の識別情報（ＩＤ）及びパスワードを入力した後、自分がかけたい相手の電話番号を入力する。インターネット電話会社は相手の最寄のアクセスポイント（ＡＰ）から相手宅に電話をしてサービスを実現する。
【０００４】
このようにして、ユーザーはインターネットを利用した電話サービスを利用することが可能であるが、前記方法には以下の問題がある。
即ち、ユーザーはインターネット電話をする場合、ユーザーがいちいちインターネット電話会社のＡＰの番号をダイヤルして、ＩＤ及びパスワードを入力しなければならず、使い勝手が悪いという問題がある。
ところで、特開２０００−１２５０４１号公報には、前記問題点を解決可能なシステムが記載されている。
【０００５】
【発明が解決しようとする課題】
しかしながら、前記公開特許公報には、ダイアルアップ環境及びＬＡＮ（Ｌｏｃａｌ　Ａｒｅａ　Ｎｅｔｗｏｒｋ）環境を想定し、場合によっては着呼側にも通信コストの負担を強いるように構成している。
即ち、前記公開特許公報図３の処理手順に示されているように、先ず、発呼側端末は着呼側端末にＩＰ（Ｉｎｔｅｒｎｅｔ　Ｐｒｏｔｏｃｏｌ）電話接続要求を行い（ステップ１）、次に、着呼側端末はオフフック後、発呼側端末に接続許可通知を行い（ステップ２）、次に、発呼側端末及び着呼側端末の双方がインターネットへ接続し（ステップ３）、次に、発呼側端末が着呼側端末へＩＰアドレスを通知し（ステップ４）、次に、着呼側端末が発呼側端末へＩＰアドレスを通知し（ステップ５）、その後、発呼側端末と着呼側端末間でＩＰ電話を開始する（ステップ６）。
【０００６】
このような構成では、着呼側端末はオフフック後、発呼側に接続許可通知をしなければならないため、着呼側に通信コストが発生するという問題がある。
また、着呼側は、オフフック後、前記ステップ２〜６の間オフフック状態で待たなければならない。着呼側にしてみれば普通の電話ならすぐに通話が開始されるのに、通話が開始されないので使い勝手が悪いという問題がある。
【０００７】
また、前記ステップ３でのインターネットへ接続において、何らかの理由でＩＳＰ（Ｉｎｔｅｒｎｅｔ　Ｓｅｒｖｉｃｅ　Ｐｒｏｖｉｄｅｒ）に接続できない場合（テレホーダイの時間帯など）が考えられ、その場合、ＩＰ電話が出来ないばかりではなく、その時にも接続許可通知分の通信費用が着呼側に余分に掛かるという問題がある。
また、通信環境が多様化しており、自分の通信環境及び相手側の通信環境によって使う適切なサービスが異なっており、サービスを適切に選択できるようにする必要がある。
【０００８】
本発明は、前記問題点に鑑み成されたもので、着呼側に無駄な通信コストが発生することを防止すると共に、使い勝手のよいインターネット電話サービスを提供可能にすることを課題としている。
また、本発明は、発呼側及び着呼側の通信環境に応じて、サービスを適切に選択できるようにすることを課題としている。
【０００９】
【課題を解決するための手段】
本発明によれば、インターネットを介して複数の端末間で電話を利用可能に制御するインターネット電話制御装置において、発呼側端末をインターネットに接続して、前記発呼側端末のＩＰ（Ｉｎｔｅｒｎｅｔ　Ｐｒｏｔｏｃｏｌ）アドレスをＵＵＩ（ユーザ間情報）メッセージによって着呼側端末に通知し、前記着呼側端末からＩＰアドレスを受信して前記発呼側端末と着呼側端末のリンクを確立するように制御する制御手段を有することを特徴とするインターネット電話制御装置が提供される。
制御手段は、発呼側端末をインターネットに接続して、前記発呼側端末のＩＰアドレスをＵＵＩメッセージによって着呼側端末に通知し、前記着呼側端末からＩＰアドレスを受信して前記発呼側端末と着呼側端末のリンクを確立する。
【００１０】
ここで、前記制御手段は、前記ＵＵＩメッセージを、ＩＳＤＮ（Ｉｎｔｅｇｒａｔｅｄ　Ｓｅｒｖｉｃｅｓ　Ｄｉｇｉｔａｌ　Ｎｅｔｗｏｒｋ；総合デジタル通信網）回線のＤチャネル（信号チャネル）を用いて送信するように構成することができる。
また、前記制御手段は、複数の通信サービスを予め記憶した記憶手段を有し、前記着呼側端末から該着呼側端末の通信環境に関する情報を受信し、該情報に応じた通信サービスを前記記憶手段から選択して前記発呼側端末と着呼側端末とを接続するように構成してもよい。
【００１１】
【発明の実施の形態】
図１は、本発明の実施の形態に係るインターネット電話制御装置１０を使用したインターネット電話システムのシステム構成図である。
尚、インターネット電話制御装置１０としては、ターミナルアダプタ（ＴＡ）に所定の機能を付加した装置の例を示している。即ち、本実施の形態は、ＴＡにインターネット電話用の制御機能を付加し、ＴＡが自動的に相手側通信環境によりコンピュータ（ＰＣ）−ＰＣ間インターネット電話サービスを利用するか、ＰＣ−電話機間インターネット電話サービスを利用するか、電話機−電話機間インターネット電話サービスを利用するか、または通常の電話サービスを利用するかを選択することにより、相手方（着呼側）の通信端末によらず低コストでインターネット電話を利用できるようにしている。尚、図１では、インターネット電話制御装置１０がターミナルアダプタの機能も有しているため、記号「ＴＡ」で表している。
【００１２】
図１において、インターネット電話システムは、インターネット電話に対応したユーザー宅のＴＡ１０、ＴＡ１０に接続されたアナログ端末２０、プロバイダーの発呼側最寄のアクセスポイント（ＡＰ）１００、電話機−電話機間インターネット電話会社の発呼側最寄のアクセスポイント（ＡＰ）１１０、ＰＣ−電話機間インターネット電話会社のサーバー３００、相手方通信制御装置３０とプロバイダーの着呼側最寄のアクセスポイント（ＡＰ）２００、インターネット電話会社の着呼側最寄のアクセスポイント（ＡＰ）２１０、相手（着呼側）宅制御装置３０、制御装置３０に接続されたアナログ端末４０を備えている。インターネット電話制御装置３０はインターネット電話制御装置１０と同一構成のものであり、同様の機能を有するものである。
【００１３】
図２は、本実施の形態に係るインターネット電話制御装置１０のブロック図である。
図２において、インターネット電話制御装置１０は、接続されたアナログ端末からの音声通信用のデータをデータ通信用のデータとして送信する機能を持ち、特定のＵＵＩ（ユーザ間情報：Ｕｓｅｒ　Ｕｓｅｒ　Ｉｎｆｏｒｍａｔｉｏｎ）メッセージを受信すると、自動的に発信してメモリ１０ｇ（記憶手段）に設定されているＡＰへ接続する機能をもつ。また、制御装置１０内のメモリ１０ｇに自分の回線番号、接続先ＡＰの電話番号、ユーザーＩＤ、パスワード、インターネット接続業者のユーザーＩＤ、パスワードと各電話サービスの料金表の情報が記憶されており、相手方の電話番号より市外通話になるか市内になるかを判断し、どのサービスが最も適切であるかを判断する機能をもつ。
【００１４】
通信制御装置１０は、ＩＳＤＮ網３と接続するＩＳＤＮ回線インターフェイス回路１０ｂと、プログラムにより制御される制御回路１０ａと、アナログ端末２０を接続するアナログインターフェイス回路１０ｆと、上記アナログ端末２０と通信を確立するためのモデム回路（パケット回路１０ｃ、圧縮回路１０ｄ及びトーンセンター回路１０ｅ）と、ＵＵＩメッセージ（ユーザ間情報メッセージ）の情報やインターネットを経由して送られてくる音声データ等を蓄積するためのメモリ１０ｇとを備えている。
制御回路１０ａ内のアナログインターフェイス回路制御手段１０ａ−１は、接続されたアナログ端末２０との発呼と着呼の制御を行う。
【００１５】
ＵＵＩ（ユーザ間情報）制御手段１０ａ−３は、メモリ１０ｇに蓄積されたＵＵＩの情報を読み取り、その情報に対応した制御を行う。また、ＵＵＩ制御手段１０ａ−３は、相手通信装置に通知する情報をメモリ内から選択し送出する制御も行う。
呼制御手段１０ａ−４は、ＩＳＤＮ網３への発呼と着呼の制御とＩＳＤＮ網３のＤチャンネルのサービスのＵＵＩの送受信の制御を行う。
【００１６】
インターネット制御手段１０ａ−５は、プロバイダーにダイヤルアップ接続を行いアカウントやパスワードを通知しＩＰアドレスを取得しメモリ１０ｇに蓄積する制御とインターネット電話会社への接続時のアカウントやパスワードと相手先電話番号の通知する制御、インターネットを介して相手通信装置と通信を確立し音声データを送信する制御と受信した音声データをメモリ１０ｇに蓄積する制御を行う。
【００１７】
アナログ端末制御手段１０ａ−２は、アナログインターフェイス回路制御手段１０ａ−１で通信を確立したアナログ端末との間で、前記モデム回路を介して、情報の送受信の制御を行う。また、アナログ端末制御手段１０ａ−２は、メモリ１０ｇ内の音声データをアナログ端末２０に送出する制御も行う。
自動選択制御手段１０ａ−６は、利用する電話サービスをメモリ１０ｇ内の設定情報及び料金テーブルを参照して利用するサービスの自動選択を制御する。
【００１８】
以上のように構成されたインターネット電話制御装置の動作を概略説明すると、ユーザ（発呼側）は、自宅のインターネット電話制御装置（ＴＡ）１０に接続されているアナログ端末２０を用いて、通常の電話をかけるときと同じ手順で相手（着呼側）に電話をかける（図１▲１▼参照）。
このときＴＡ１０は、あらかじめ接続先として目盛り１０ｇに設定してあるプロバイダーのアクセスポイント（ＡＰ）１００へ接続する（図１▲２▼参照）。ＡＰ１００は、前記ユーザーの最寄りのアクセスポイントである。
【００１９】
ＴＡ１０は、通話を希望する相手方通信端末にＩＰ接続を確立するために必要なグローバルＩＰアドレス等の情報をユーザー・ユーザー情報（ＵＵＩ）を用いて送信する（図１▲３▼参照）。このとき、相手方制御装置３０の応答によりＴＡ１０が自動的に相手の通信環境を判断し、相手方通信端末４０がこのサービスに対応した環境であれば、相手通信端末がプロバイダーの最寄ＡＰ２００へ接続しインターネット電話が開始され（図１▲４▼、図２参照）、相手方通信端末４０の通信環境が対応していないと判断した場合には、ＴＡ１０が料金テーブルと比較し、インターネット電話の方が良いと判断した場合には、ＰＣ−電話機間インターネット電話会社のサーバ３００にアクセス（図１▲５▼参照）するか、または回線を切断して電話機−電話機間インターネットサービス会社の最寄ＡＰ１００に接続し（図１▲７▼参照）、インターネット電話会社の最寄のＡＰ２１０から相手宅へ接続しに行くことによりインターネット電話を開始し（図１▲６▼参照）、通常の電話サービスの方が良いと判断した場合には通常の電話サービスを利用するようにする。
【００２０】
図３は、本実施の形態に係るインターネット電話制御装置１０の処理を示すフローチャートで、発呼時におけるインターネット電話制御装置１０の動作を示すフローチャートである。
図１乃至図３を用いて、発呼時における動作を詳細に説明する。
アナログ端末２０から、インターネット電話要求と相手通信装置３０の番号をダイヤルすると、インターネット電話制御装置（ＴＡ）１０の設定がインターネット電話を使用するになっているか否かを判断し、インターネット電話制御装置１０内の自動選択制御手段１０ａ−６がメモリ１０ｇ内に蓄積されている設定情報及び料金テーブルと比較して最適な接続先を選択する（図３ステップＡ１）。
【００２１】
ステップＡ１において、通常電話サービスを選択した場合は、呼制御手段１０ａ−４が相手通信端末３０に回線接続する（図３ステップＤ２）。
インターネット電話を選択した場合は、インターネット接続制御手段１０ａ−５を使用してダイヤルアップ接続にてプロバイダーのアクセスポイント１００に接続し、識別情報（例えば、アカウントとパスワード）を送出してＩＰアドレスを取得し、相手通信装置３０にインターネット電話接続要求と一緒にＵＵＩにて通知する（図３ステップＡ２）。
相手通信装置３０が所定時間内に応答し、インターネット網を経由し接続を確立してきた場合は、通信装置３０からのテストデータを受信後、アナログ端末２０に接続（リンク）が確立したことをアナウンスもしくは音にて通知し、後インターネット経由にて音声データの転送を行い、アナログ端末２０、４０にて通信を行う（図３ステップＡ３、Ａ４）。
【００２２】
切断時は、どちらかのアナログ端末２０またはアナログ端末４０より切断信号を受けることにより切断信号を受けた通信装置からもう一方の通信装置に対し、切断信号を出して切断し、切断信号を受信した通信装置は切断する。
送信側通信装置１０は、ステップＡ３において、相手通信装置３０から一定時間内に応答が無かった場合には、自動選択制御手段１０ａ−６がメモリ１０ｇ内の設定情報と料金テーブルを参照し（図３ステップＢ１）、インターネット電話の方がやすいか否か、即ち、インターネット電話を使用するか、通常の電話サービスを行うかを選択する（図３ステップＢ２）。
【００２３】
ステップＢ２において、通常電話サービスの方が安いと判断して通常電話サービスを選択した場合は、呼制御手段１０ａ−４が前記プロバイダーとの間の回線を切断し（図３ステップＤ１）、相手通信端末３０に回線接続して通常の電話をかける（図３ステップＤ２）。
ステップＢ２において、インターネット電話の方が安いと判断してインターネット電話を選択した場合は、自動選択制御手段１０ａ−６が、ＰＣ−電話機間インターネット電話サービス会社を利用するか、あるいは、電話機−電話機間インターネット電話サービス会社を利用するかを選択する（図３ステップＢ３）。
ステップＢ３において、ＰＣ−電話機間インターネット電話サービス会社を選択した場合は、自動選択制御手段１０ａ−６がメモリ１０ｇ内の情報からインターネット電話サービス会社のサーバ（ホームページ）にアクセスし、識別情報（例えば、アカウント、パスワード）、相手宅電話番号を送信する（図３ステップＢ４）。
【００２４】
インターネット電話サービス会社は、相手宅へ最寄ＡＰよりダイヤルし、相手が電話に出たことを確認したインターネット電話サービス会社は、通信装置１０にテストデータを送出し、通信装置１０はテストデータを受信すると、アナログ端末２０に接続が確立したことをアナウンスもしくは音にて通知する（図３ステップＢ５）。その後インターネット経由にて音声データの転送を行い、アナログ端末２０、４０にて通信を行う。
【００２５】
切断時は、アナログ端末２０が切断する場合は、切断信号をインターネット電話サービス会社にだし、受信しインターネット電話サービス会社は、相手宅との回線を切断し、４０が切断した場合には、インターネット電話サービス会社が切断信号を２０へ発信し、受信した１０は回線を切断する。
ステップＢ３において、電話機−電話機間インターネット電話サービス会社を選択した場合は、呼制御手段１０ａ−４が前記プロバイダーとの間の回線を切断し、そして電話機−電話機間インターネット電話サービス会社のＡＰへ接続して、インターネット接続制御手段１０ａ−５がトーンセンダーを用いて、識別情報（例えば、アカウントとパスワード）、相手宅電話番号を送信する（図３ステップＣ１）。
【００２６】
電話機−電話機間インターネット電話サービス会社は、情報を受信すると相手宅へ最寄ＡＰよりダイヤルし、相手が電話に出たことを確認したインターネット電話サービス会社は、アナログ端末２０に接続が確立したことをアナウンスもしくは音にて通知する。通話が開始される（図３ステップＢ５）。
切断時は、どちらかのアナログ端末２０または４０より切断信号を受けることにより切断信号を受けた通信装置が回線を切断し、そのことを検知したインターネット電話会社は、そのことをアナウンスしもう一方の相手の回線を切断する。
【００２７】
図４は、本実施の形態に係るインターネット電話制御装置３０の処理を示すフローチャートで、着呼時におけるインターネット電話制御装置３０の動作を示すフローチャートである。
図１、図２及び図４を用いて、着呼時における動作を詳細に説明する。
通信端末３０は、ＵＵＩを受信すると（図４ステップＥ０）、ＵＵＩにて送信されてきた情報（図４ステップＥ１）を、自装置内のメモリ１０ｇに蓄積し、その情報をＵＵＩ制御手段１０ａ−３にて解析を行い処理する。
【００２８】
処理結果は自動選択制御手段１０ａ−６がメモリ１０ｇ内の所定の設定情報と比較し応答の可否を判断し（図４ステップＥ２）、無応答が選択された場合は、処理を終了する（図４ステップＦ１）。応答するが選択された場合は、通信装置３０は、接続されているアナログ端末４０が通信使用可能か判断し、使用不可能ならば処理を終了する（無応答）。
【００２９】
使用可能ならば、本通信装置３０はインターネット制御手段１０ａ−５を使用してダイヤルアップ接続にてプロバイダーＡＰ２００に接続し、アカウントとパスワードを送出して、送信されてきたＩＰアドレスを元にＩＰルーティングによってＩＰ網を経由し接続を確立し、アナログ端末４０に着信をかける（図４ステップＥ３）。
切断時は、どちらかのアナログ端末２０またはアナログ端末４０より切断信号を受けることにより切断信号を受けた通信制御装置３０または通信制御装置１０からもう一方の通信制御装置１０または通信制御装置３０に対し、切断信号を出して切断し、切断信号を受信した通信制御装置は切断する。
【００３０】
以上のように、本実施の形態に係るインターネット電話システムにおいては、アナログ端末２０、４０に個別に接続されている複数のインターネット電話制御装置１０、３０と、複数の通信制御装置１０、３０と接続したＩＳＤＮ網と、前記複数の通信制御装置１０、３０のいずれかと契約しており、前記ＩＳＤＮ網による接続が可能な１または２以上のプロバイダーのアクセスポイント１００、２００と、前記プロバイダーと接続するインターネット網を有し、前記複数の通信端末２０、４０のうち通信しようとする発呼側２０の通信制御装置１０は、自己が契約している前記プロバイダーのＡＰ１００とダイヤルアップ接続にて接続してＩＰアドレスを取得して、前記ＩＳＤＮ網のＤチャンネルでユーザー間情報を利用して、取得したＩＰアドレスとインターネット接続要求を相手通信制御装置３０に送信し、相手通信制御装置３０の応答から相手通信制御装置３０の通信環境を判断し、この設定及び料金テーブルにより接続方法をＰＣ−電話機間インターネット電話サービス，電話機−電話機間インターネット電話サービス、電話機−電話機間インターネット電話サービス、通常の電話サービスの中から適切な（例えば最も割安な）サービスを自動で選択し、相手の通信環境によらないで適切なサービスをユーザーに提供するようにしている。
【００３１】
また、本実施の形態に係るインターネット電話制御装置は、インターネットを介して複数の端末間で電話を利用可能に制御するインターネット電話制御装置において、発呼側端末２０をインターネットに接続して、発呼側端末２０のＩＰアドレスをＵＵＩメッセージによって着呼側端末４０側に通知し、着呼側端末４０側からＩＰアドレスを受信して発呼側端末２０と着呼側端末４０のリンクを確立するように制御する制御手段１０ａを有している。
【００３２】
ここで、制御手段１０ａは、前記ＵＵＩメッセージを、ＩＳＤＮ回線のＤチャネルを用いて送信するようにしている。
また、制御手段１０ａは、複数の通信サービスを予め記憶した記憶手段１０ｇを有し、着呼側端末４０から該着呼側端末４０の通信環境に関する情報を受信し、該情報に応じた通信サービスを記憶手段１０ｇに記憶した複数の通信サービスの中から選択して発呼側端末２０と着呼側端末４０とを接続するようにしている。
したがって、着呼側に無駄な通信コストが発生することを防止すると共に、使い勝手のよいインターネット電話サービスを提供することが可能になる。また、発呼側及び着呼側の通信環境に応じて、サービスを適切に選択することが可能になる。
【００３３】
また、本実施の形態に係るインターネット電話制御装置においては、ユーザーが本制御装置１０を利用することにより、ユーザーは相手の通信環境を意識することなく通信制御装置のサービス自動選択機能により適切なインターネット電話サービスを受けることができ、操作自体も今までの操作と何ら変ることは無く、今行っている通話がインターネット電話であると意識しないで通話ができる。
【００３４】
また、本実施の形態では、先ず発呼側がインターネットへ接続し（ステップ１）、次に、発呼側がＩＰアドレスを着呼側にＵＵＩを用いて通知し（ステップ２）、次に、着呼側がインターネットへ接続し、発呼側へＩＰアドレスを通知し（ステップ３）、次に、リンク確立し（ステップ４）、次に、着呼側に着呼して着呼側がオフフックすることによりＩＰ電話を開始する（ステップ５）。
このように、発呼側に接続許可通知をしないので着呼側にその分の費用は発生しないという効果がある。
【００３５】
また、全ての接続が終了後に着呼するため、着呼側は、待たされないので使い勝手が通常の電話と同じになるという効果がある。
また、あらかじめインターネットに接続後、相手に接続情報を載せたＵＵＩを送るので、発呼側がインターネットに接続できないことは起こらない。着呼側が仮に接続できない場合が起こっても発呼側は、一定時間着呼側から応答がない場合には別の方法を試みるので問題は生じない。
以上より、特開２０００−１２５０４１号公報に記載された装置やシステムよりも、通信コストや使い勝手を向上させることが可能になるという効果がある。
【００３６】
【発明の効果】
本発明によれば、着呼側に無駄な通信コストが発生することを防止すると共に、使い勝手のよいインターネット電話サービスを提供することが可能になる。
また、発呼側及び着呼側の通信環境に応じて、サービスを適切に選択することが可能になる。
【図面の簡単な説明】
【図１】本発明の実施の形態に係るインターネット電話システムのシステム構成図である。
【図２】本発明の実施の形態に係るインターネット電話制御装置のブロック図である。
【図３】本発明の実施の形態に係るインターネット電話制御装置の処理を示すフローチャートである。
【図４】本発明の実施の形態に係るインターネット電話制御装置の処理を示すフローチャートである。
【符号の説明】
３・・・ＩＳＤＮ網
１０、３０・・・インターネット電話制御装置
１０ａ・・・制御手段としての制御回路
１０ａ−１・・・アナログインターフェイス回路制御手段
１０ａ−２・・・アナログ端末制御手段
１０ａ−３・・・ＵＵＩ制御手段
１０ａ−４・・・呼制御手段
１０ａ−５・・・インターネット制御手段
１０ａ−６・・・自動選択制御手段
１０ｂ・・・ＩＳＤＮ回線インターフェイス
１０ｃ・・・モデム手段としてのモデム回路を構成するパケット回路
１０ｄ・・・モデム手段としてのモデム回路を構成する圧縮回路
１０ｅ・・・モデム手段としてのモデム回路を構成するトーンセンター回路
１０ｆ・・・アナログインターフェイス回路
１０ｇ・・・記憶手段としてのメモリ
２０、４０・・・アナログ端末
１００・・・発呼側最寄りアクセスポイント
１１０、２１０・・・インターネット電話業者アクセスポイント
２００・・・着呼側最寄りアクセスポイント
３００・・・インターネット電話業者サーバ
【図１】
2004080453.tif 000003
【図２】
2004080453.tif 000004
【図３】
2004080453.tif 000005
【図４】
2004080453.tif 000006